(57)【要約】【課題】実際に料理を食する人の数に適するレシピを提示することができるＩＨ調理器を得ることを目的とする。【解決手段】データ入力部１２により入力された人数に応じてデータ送受信部１１によりダウンロードされたレシピデータを変更し、変更後のレシピデータにしたがってレシピを表示するように構成した。また、データ入力部１２により入力された人数に応じてデータ送受信部１１によりダウンロードされた火加減データを変更し、変更後の火加減データにしたがって火加減を調節するように構成した。【選択図】        図１
2004192862.tif 000002
【特許請求の範囲】
【請求項１】
料理に使用する材料、調味料及び作り方を示すレシピデータを入力する入力手段と、出来上がりの料理を食する人の数を指定する指定手段と、上記指定手段により指定された人数に応じて上記入力手段により入力されたレシピデータを変更するデータ変更手段と、上記データ変更手段により変更されたレシピデータにしたがってレシピを表示する表示手段とを備えたＩＨ調理器。
【請求項２】
料理に使用する材料、調味料及び作り方を示すレシピデータを入力する入力手段と、上記入力手段により入力されたレシピデータを変更するデータ変更手段と、上記データ変更手段により変更されたレシピデータを記憶する記憶手段と、上記データ変更手段により変更されたレシピデータにしたがってレシピを表示する表示手段とを備えたＩＨ調理器。
【請求項３】
データ変更手段は、表示手段により表示されたレシピの変更要求を受け付け、その変更要求に応じてレシピデータを変更することを特徴とする請求項１または請求項２記載のＩＨ調理器。
【請求項４】
データ変更手段は、レシピの変更要求に応じて料理に使用する材料を変更することを特徴とする請求項３記載のＩＨ調理器。
【請求項５】
データ変更手段は、レシピの変更要求に応じて料理に使用する調味料の使用量を変更することを特徴とする請求項３記載のＩＨ調理器。
【請求項６】
火加減の度合を示す火加減データを入力する入力手段と、出来上がりの料理を食する人の数を指定する指定手段と、上記指定手段により指定された人数に応じて上記入力手段により入力された火加減データを変更するデータ変更手段と、上記データ変更手段により変更された火加減データにしたがって火加減を調節する加熱手段とを備えたＩＨ調理器。
【請求項７】
データ変更手段は、入力手段が料理に使用する材料、調味料及び作り方を示すレシピデータを入力すると、指定手段により指定された人数に応じて上記入力手段により入力されたレシピデータを変更し、上記データ変更手段により変更されたレシピデータにしたがってレシピを表示する表示手段を設けたことを特徴とする請求項６記載のＩＨ調理器。
【請求項８】
データ変更手段により変更された火加減データを記憶するとともに、指定手段により指定された人数を記憶する記憶手段を設けたことを特徴とする請求項６または請求項７記載のＩＨ調理器。
【請求項９】
データ変更手段は、表示手段により表示されたレシピの変更要求を受け付け、その変更要求に応じて火加減データを変更することを特徴とする請求項６から請求項８のうちのいずれか１項記載のＩＨ調理器。
【請求項１０】
データ変更手段は、料理に使用する材料の重さを計測し、その材料の重さに応じて火加減データを変更することを特徴とする請求項６から請求項８のうちのいずれか１項記載のＩＨ調理器。
【請求項１１】
火加減の度合を示す火加減データを入力する入力手段と、上記入力手段により入力された火加減データにしたがって火加減を調節する加熱手段と、上記入力手段により入力された火加減データを参照して料理工程の移行時期を監視する監視手段とを備えたＩＨ調理器。
【請求項１２】
加熱手段は、料理工程が複数の工程から為る場合、料理工程が移行する毎に、当該料理工程に対応する火加減データにしたがって火加減を調節することを特徴とする請求項１１記載のＩＨ調理器。
【請求項１３】
監視手段は、料理工程の移行時期になると料理工程の移行を督促することを特徴とする請求項１１記載のＩＨ調理器。
【請求項１４】
監視手段は、料理工程の移行時期になると料理工程が移行したか否かを検知することを特徴とする請求項１１から請求項１３のうちのいずれか１項記載のＩＨ調理器。
【請求項１５】
監視手段は、第２の入力手段の動作を検出して料理工程の移行を検知することを特徴とする請求項１４記載のＩＨ調理器。
【請求項１６】
監視手段は、鍋の重量の変化を監視して料理工程の移行を検知することを特徴とする請求項１４記載のＩＨ調理器。
【請求項１７】
監視手段は、湯気の発生量の変化を監視して料理工程の移行を検知することを特徴とする請求項１４記載のＩＨ調理器。
【請求項１８】
監視手段は、鍋の温度の変化を監視して料理工程の移行を検知することを特徴とする請求項１４記載のＩＨ調理器。
【請求項１９】
監視手段による料理工程の移行の検知状況に応じて入力手段により入力された火加減データを補正する補正手段を設けたことを特徴とする請求項１４記載のＩＨ調理器。
【請求項２０】
補正手段は、料理工程の移行時期になってから、所定時間経過しても監視手段により料理工程の移行が検知されない場合、火加減データを補正することを特徴とする請求項１９記載のＩＨ調理器。
【請求項２１】
補正手段により補正された火加減データを保存するデータ保存手段を設けたことを特徴とする請求項１９記載のＩＨ調理器。
【発明の詳細な説明】
【０００１】
【発明の属する技術分野】
この発明は、レシピデータにしたがってレシピを表示する機能等を備えているＩＨ調理器に関するものである。
【０００２】
【従来の技術】
従来の電子レンジなどの調理器具は、所定の情報配信サーバとデータを送受信する送受信装置と、データを表示する表示装置とを備え、その送受信装置が所定の情報配信サーバからレシピデータ（料理に使用する材料、調味料、作り方を示すデータ）をダウンロードすると、表示装置がそのレシピデータを表示する。
これにより、ユーザは所望の料理のレシピを確認することができる（例えば、特許文献１を参照）。
【０００３】
【特許文献１】
特開２００１−９０９５３公報（第１７頁から第１９頁、図１）
【０００４】
【発明が解決しようとする課題】
従来の調理器具は以上のように構成されているので、所望の料理のレシピを確認することができるが、レシピデータに係る人数が実際に料理を食する人の数と異なる場合、ユーザがレシピデータを人数換算しなければならず、ユーザに煩わしさを与えることがあるなどの課題があった。
【０００５】
この発明は上記のような課題を解決するためになされたもので、実際に料理を食する人の数に適するレシピを提示することができるＩＨ調理器を得ることを目的とする。
【０００６】
【課題を解決するための手段】
この発明に係るＩＨ調理器は、指定手段により指定された人数に応じて入力手段により入力されたレシピデータを変更し、変更後のレシピデータにしたがってレシピを表示するようにしたものである。
【０００７】
この発明に係るＩＨ調理器は、データ変更手段により変更されたレシピデータを記憶するようにしたものである。
【０００８】
この発明に係るＩＨ調理器は、指定手段により指定された人数に応じて入力手段により入力された火加減データを変更し、変更後の火加減データにしたがって火加減を調節するようにしたものである。
【０００９】
この発明に係るＩＨ調理器は、入力手段により入力された火加減データを参照して料理工程の移行時期を監視するようにしたものである。
【００１０】
【発明の実施の形態】
以下、この発明の実施の一形態を説明する。
実施の形態１．
図１はこの発明の実施の形態１によるＩＨ調理器を示す構成図であり、図において、情報配信サーバ１はＩＨ調理器から料理のレシピデータ（料理に使用する材料、調味料及び作り方を示すデータ）と火加減データ（火加減の度合を示すデータ）の送信要求を受信すると、例えば、インターネットなどのネットワーク２を介して、そのレシピデータや火加減データをＩＨ調理器に配信する。
データ送受信部１１はレシピデータと火加減データの送信要求を情報配信サーバ１に送信して、その情報配信サーバ１からレシピデータと火加減データをダウンロードする。なお、データ送受信部１１は入力手段を構成している。
ここでは、データ送受信部１１が情報配信サーバ１からレシピデータと火加減データをダウンロードするものについて示したが、そのレシピデータと火加減データが例えばＣＤ−ＲＯＭやＤＶＤ−ＲＯＭなどの補助メモリに記憶されている場合には、その補助メモリからレシピデータと火加減データを読み込むようにしてもよい。また、バーコードリーダ、携帯電話、赤外線通信などを利用してレシピデータと火加減データを読み込むようにしてもよい。
【００１１】
データ入力部１２は出来上がりの料理を食する人の数などの指定を受け付け、データ処理部１３はデータ入力部１２により入力された人数に応じてデータ送受信部１１によりダウンロードされたレシピデータと火加減データを変更する。なお、データ入力部１２は指定手段を構成し、データ処理部１３はデータ変更手段を構成している。
表示部１４はデータ処理部１３により変更されたレシピデータにしたがってレシピを表示し、ユーザが確認ボタン（図示せず）を押すまではレシピデータの変更が受け付けられる。データ記憶部１５はユーザが確認ボタンを押すと、データ処理部１３により変更されたレシピデータと火加減データを記憶するとともに、データ入力部１２により入力された人数を記憶する。なお、表示部１４は表示手段を構成し、データ記憶部１５は記憶手段を構成している。
加熱部１６はデータ処理部１３により変更された火加減データにしたがって火加減を調節する。なお、加熱部１６は加熱手段を構成している。
図２はこの発明の実施の形態１によるＩＨ調理器の処理内容を示すフローチャートである。
【００１２】
次に動作について説明する。
まず、料理を行うユーザがレシピ要求ボタン（図示せず）を押すと、データ送受信部１１がネットワーク２を介して、レシピの送信要求を情報配信サーバ１に送信する（ステップＳＴ１）。
なお、レシピ要求ボタンは、図３及び図４に示すように、ＩＨ調理器の操作パネルに設けられている。因みに、データ入力部１２もＩＨ調理器の操作パネルに設けられ、表示部１４はＩＨ調理器の表示パネル内に埋め込まれている。ただし、表示パネルの設置位置は問わず、壁面やＩＨ調理器の本体以外の場所であってもよい。
【００１３】
これにより、情報配信サーバ１から配信可能なレシピに関するメニュー情報を送信してくると、データ送受信部１１がそのメニュー情報を受信し、表示部１４がそのメニュー情報を表示する。
ユーザがデータ入力部１２を操作して、そのメニュー情報の中から所望のレシピを選択すると、データ送受信部１１がその選択情報を情報配信サーバ１に送信する。
データ送受信部１１は、情報配信サーバ１が選択情報に対応するレシピのレシピデータと火加減データの配信を開始すると、その情報配信サーバ１からレシピデータと火加減データをダウンロードする（ステップＳＴ２）。
【００１４】
データ処理部１３は、データ送受信部１１がレシピデータと火加減データをダウンロードすると、そのレシピデータを表示部１４に出力し、表示部１４は、図５に示すように、そのレシピデータにしたがってレシピを表示する（ステップＳＴ３）。
図５に示すレシピは“鶏唐揚げの甘酢炒め”に関する４人分のレシピである。これにより、ユーザは“鶏唐揚げの甘酢炒め”の材料・調味料・作り方を確認することができるが、料理を食する人の数が４人ではなく、例えば、６人である場合には、データ入力部１２を操作して、料理を食する人の数（６人）を入力する（ステップＳＴ４）。
【００１５】
データ処理部１３は、ユーザがデータ入力部１２を操作して人数を入力すると、その人数に応じてデータ送受信部１１によりダウンロードされたレシピデータと火加減データを変更する（ステップＳＴ５）。
例えば、料理を食する人の数が４人ではなく、６人である場合、材料の一つである鶏もも肉に着目すると、２枚→３枚（＝２÷４×６）のようにレシピデータを変更する。
また、調味料の一つであるケチャップに着目すると、大３→大４と大１／２（＝３÷４×６）のようにレシピデータを変更する。
【００１６】
なお、火加減データは、加熱部１６に対する制御情報であって、調理時間と火加減具合が組み合わされているデータである。例えば、加熱部１６の火加減を１０段階に調節することができる場合、料理スタート時から５分間は段階“５”、５分経過時から１０分間は段階“７”を示すようなデータである。したがって、データ処理部１３は、火加減データのうち、調理時間又は火加減具合の少なくとも一方を変更する。
例えば、火加減を変更せずに調理時間を変更する場合、変更前の調理時間→変更後の調理時間（＝変更前の調理時間×Ｋ÷４×６）のように火加減データを変更する。ここで、Ｋは所定の係数である。
また、調理時間を変更せずに火加減具合を変更する場合、変更前の火加減具合→変更後の火加減具合（変更前の火加減具合×Ｇ÷４×６）のように火加減データを変更する。ここで、Ｇは所定の係数である。
【００１７】
表示部１４は、データ処理部１３がレシピデータを変更すると、図６に示すように変更後のレシピデータにしたがってレシピを表示する（ステップＳＴ６）。
ユーザは、表示部１４により表示されたレシピを確認し、そのレシピを承認して操作パネル内の確認ボタンを押すとステップＳＴ８の処理に移行するが、操作パネル内のＮＧボタン（図示せず）を押すと、ステップＳＴ４の処理に戻り、レシピデータの再変更が受け付けられる（ステップＳＴ７）。
データ記憶部１５は、ユーザが操作パネル内の確認ボタンを押すと、ユーザが次回同一の料理を行う場合に備えて、データ処理部１３により変更されたレシピデータと火加減データを記憶する（ステップＳＴ８）。また、データ記憶部１５は、データ入力部１２により入力された人数も記憶する。
加熱部１６は、ユーザが材料や調味料を例えば鍋に入れて、操作パネル内の調理開始ボタン（図示せず）を押すと、その鍋に対する加熱を開始し、データ処理部１３により変更された火加減データにしたがって火加減を調節する（ステップＳＴ９）。
【００１８】
以上で明らかなように、この実施の形態１によれば、データ入力部１２により入力された人数に応じてデータ送受信部１１によりダウンロードされたレシピデータを変更し、変更後のレシピデータにしたがってレシピを表示するように構成したので、実際に料理を食する人の数に適するレシピを提示することができる効果を奏する。
また、この実施の形態１によれば、データ入力部１２により入力された人数に応じてデータ送受信部１１によりダウンロードされた火加減データを変更し、変更後の火加減データにしたがって火加減を調節するように構成したので、ユーザが手動で火加減を調節することなく、自動的に料理を作ることができ、ユーザの煩わしさを軽減することができる効果を奏する。
【００１９】
実施の形態２．
上記実施の形態１では、データ入力部１２により入力された人数に応じてレシピデータと火加減データを変更するものについて示したが、ユーザがデータ入力部１２を操作してレシピの変更要求を入力すると、データ処理部１３がレシピの変更要求に応じてレシピデータと火加減データを変更するようにしてもよい。
【００２０】
具体的には、ユーザが表示部１４により表示されたレシピを確認したのち、例えば、家族の好みや食材の在庫状況を考慮した結果、料理に使用する材料を変更したい場合がある。
このような場合、ユーザがデータ入力部１２を操作してレシピの変更要求を入力すると、データ処理部１３がレシピの変更要求に応じてレシピデータと火加減データを変更する。
【００２１】
また、データ処理部１３は、図７に示すような調理時間の割合に関するテーブルを参照して、火加減データを変更する。例えば、鶏肉のこま切れ肉から豚肉の焼肉用肉に変更する場合、調理時間をＴ分必要とするときは、調理時間を２Ｔ分（＝Ｔ÷１．５×３．０）に変更する。
なお、ここでは例示していないが、野菜や魚に関するテーブルも予め用意されているものとする。
【００２２】
また、ユーザがデータ入力部１２を操作して、味付けの希望を入力すると、データ処理部１３がその希望に応じてレシピデータを変更する。例えば、図８に示すような調味料の割増量に関するテーブルを参照して調味料の割増量を取得し、その割増量に応じて調味料の使用量を計算することによりレシピデータを変更する。変更後のレシピデータは、ユーザの希望でデータ記憶部１５に記憶させることができる。
この実施の形態２によれば、ユーザがレシピを必要に応じてカスタマイズすることができる効果を奏する。
【００２３】
実施の形態３．
上記実施の形態１では、データ入力部１２により入力された人数に応じて火加減データを変更するものについて示したが、データ処理部１３が料理に使用する材料の重さを計測し、その材料の重さに応じて火加減データを変更するようにしてもよい。
【００２４】
即ち、データ処理部１３は、ユーザが材料を例えば鍋に入れる際、加熱部１６に加わる荷重を計測することにより、料理に使用する材料の重さを計測する。この例では、加熱部１６に荷重センサが内蔵されていることを想定しているが、別途、計量計をＩＨ調理器に設けるようにしてもよい。
例えば、本来的には肉を２００ｇ入れるところを、４００ｇ入れられた場合には、調理時間を次にように変更する。
変更前の調理時間→変更後の調理時間（＝変更前の調理時間×Ｙ÷２００×４００）
これにより、ユーザがレシピ通りに材料を使用しない場合でも、料理の失敗を防止することができる効果を奏する。
【００２５】
実施の形態４．
図９はこの発明の実施の形態４によるＩＨ調理器を示す構成図であり、図において、図１と同一符号は同一または相当部分を示すので説明を省略する。
状況監視部１７はデータ送受信部１１によりダウンロードされた火加減データを参照して料理工程の移行時期を監視し、料理工程の移行時期になると料理工程の移行を督促する。例えば、料理工程の移行を示す情報を表示パネルに表示したり、料理工程の移行を示す音声を出力したりすることにより督促する。また、状況監視部１７は料理工程の移行時期になると料理工程が移行したか否かをチェックする。
なお、状況監視部１７は、入力データの条件（例えば、温度条件が所定範囲内で所定時間経過）が満足されたとき、料理工程が完了し、次の料理工程の移行時期が到来したものと判断する。
【００２６】
データ処理部１８は図１のデータ処理部１３と同様にして、人数に応じてレシピデータと火加減データを変更するとともに、状況監視部１７による料理工程の移行の検知状況に応じて火加減データを補正する。
なお、状況監視部１７は監視手段を構成し、データ処理部１８はデータ変更手段及び補正手段を構成している。また、データ記憶部１５は、データ処理部１８による補正後の火加減データを保存するデータ保存手段を構成する。
図１０はこの発明の実施の形態４によるＩＨ調理器の処理内容を示すフローチャートである。
【００２７】
次に動作について説明する。
加熱部１６は、上記実施の形態１と同様に、人数に応じて変更された火加減データにしたがって火加減を調節するが、例えば、料理工程の移行時期に新たな材料を投入する必要がある場合において、ユーザによる新たな材料の投入が遅れると、火加減によっては料理の焦付き等を招くことがある。
そこで、この実施の形態４では、予め想定している料理の進行状況と相違が生じても、スムーズに料理を進行することができるようにするため、次のような工夫を加えている。
【００２８】
まず、表示部１４がデータ送受信部１１によりダウンロードされたレシピデータと火加減データを参照して現在の料理工程に対応する調理の説明を表示すると（ステップＳＴ１１）、加熱部１６が現在の料理工程に対応する火加減データにしたがって火加減を調節しながら加熱を開始する（ステップＳＴ１２）。
状況監視部１７は、加熱部１６が加熱を開始すると、データ送受信部１１によりダウンロードされた火加減データを参照して料理工程の移行時期（例えば、火加減を変更する時期）を監視し（ステップＳＴ１３）、料理工程の移行時期になると料理工程の移行を督促する（ステップＳＴ１４，ＳＴ１５）。例えば、料理工程の移行を示す情報を表示パネルに表示したり、料理工程の移行を示す音声を出力したりすることにより督促する。
ただし、料理工程の移行の督促は常に実施するものではない。例えば、火加減を自動コントロールするような場合には、料理工程の移行を督促しない。
【００２９】
また、状況監視部１７は、料理工程の移行時期になると料理工程が実際に移行したか否かをチェックする（ステップＳＴ１６）。
例えば、料理工程の移行を指示する図示せぬ操作スイッチ（第２の入力手段）の操作が行われる場合の他に、新たな材料の投入による鍋の重量の変化、湯気の発生量の変化、鍋の温度の変化等を監視して料理工程の移行をチェックする。即ち、その変化量が予め設定された閾値を越えると（閾値は火加減データに記述されているものとする）、料理工程が移行したものと認定する。なお、湯気の発生量は例えばガスセンサ等を用いて計測する。
また、料理の途中で残りの材料を鍋に入れるとき、ユーザが操作パネル内の操作スイッチを押す約束事が取り決められているような場合には、操作スイッチの状態を監視して料理工程の移行をチェックする。
【００３０】
データ処理部１８は、状況監視部１７による料理工程の移行の検知状況に応じて火加減データを補正する。
即ち、複数の料理工程のうち、任意の工程が完了すると、次の工程に移行する前に督促を行って、状況監視部１７が料理工程の移行の検知待ち状態になるが、例えば、電話による呼出などによって、ユーザが一時的に不在になり、操作パネル内の操作スイッチを押すことができない状況が発生することがある。
このような場合、例えば、焦げの発生などを防ぐために、データ処理部１８がその時点の温度を維持するような火加減データの補正を行う。
【００３１】
具体的には、データ処理部１８は、火加減データが示す料理工程の移行時期に、状況監視部１７が料理工程の移行を検知すると（ステップＳＴ１７）、全料理工程が完了していなければ（ステップＳＴ１８）、次の料理工程に進んで調理を継続するが、料理工程の移行時期になってから、所定時間経過しても料理工程の移行が検知されない場合、移行が検知されるまで火加減データを補正して調理を継続する（ステップＳＴ１９，ＳＴ２０）。
例えば、料理工程の移行が検知されるまでの間、料理が冷めないように、あるいは、料理が焦げないように、その時点の温度を維持するような火加減データの補正を行う。
【００３２】
なお、料理の各工程において、ユーザの手動による料理を行えるようにしてもよい。この場合、操作パネル内に中断スイッチ（図示せず）を設け、ユーザが中断スイッチを操作すると、手動モードに移行するので、ユーザが手動で料理を行う。手動による料理が終了し、自動モードの再開を希望する場合、ユーザが再開する料理工程を選択して、上記の中断スイッチを再操作すると、その料理工程から自動モードで料理が再開される。
料理の完成後、ユーザが希望する場合には、次回同一の料理を行う場合に備えて、手動による火加減データを含む一連の火加減データをデータ記憶部１５に保存することができる。また、補正前の火加減データもデータ記憶部１５に残すことができる。
【００３３】
以上で明らかなように、この実施の形態４によれば、データ送受信部１１によりダウンロードされた火加減データを参照して料理工程の移行時期を監視するように構成したので、料理の進行をスムーズに行うことができる効果を奏する。
また、この実施の形態４によれば、状況監視部１７による料理工程の移行の検知状況に応じて火加減データを補正するように構成したので、予め想定している料理の進行状況と相違が生じてもスムーズに料理を進行することができる効果を奏する。
【００３４】
実施の形態５．
上記実施の形態４では、料理工程の移行時期に新たな材料を投入する必要があるとき、ユーザによる新たな材料の投入が遅れると、火加減データを補正するものについて示したが、次のような状況が発生したとき火加減データを補正するようにしてもよい。
【００３５】
即ち、レシピに示されている材料を使用して調理を行っても、材料の鮮度、産地、種類等の違いにより、料理の進行状況に相違が生じる場合がある。例えば、ジャガイモを煮込む場合、男爵とメークインでは煮込みに要する時間が異なる。この実施の形態５では、材料の鮮度、産地、種類等の違いにより、予め想定している料理の進行状況と相違が生じても、料理の失敗を防止するため、次のような工夫を加えている。
図１１はこの発明の実施の形態５によるＩＨ調理器の処理内容を示すフローチャートである。
【００３６】
まず、表示部１４がデータ送受信部１１によりダウンロードされたレシピデータと火加減データを参照して現在の料理工程に対応する調理の説明を表示すると（ステップＳＴ２１）、加熱部１６が現在の料理工程に対応する火加減データにしたがって火加減を調節しながら加熱を開始する（ステップＳＴ２２）。
状況監視部１７は、加熱部１６が加熱を開始すると、データ送受信部１１によりダウンロードされた火加減データを参照して料理工程の移行時期（例えば、火加減を変更する時期）を監視する（ステップＳＴ２３）。
そして、状況監視部１７は、料理工程の移行時期になると料理工程が実際に移行したか否かをチェックする（ステップＳＴ２４，ＳＴ２５）。
例えば、十分な煮込みが完了したことによる鍋の重量の変化、湯気の発生量の変化、鍋の温度の変化等を監視して料理工程の移行をチェックする。即ち、その変化量が予め設定された閾値を越えると（閾値は火加減データに記述されているものとする）、料理工程が移行したものと認定する。
【００３７】
データ処理部１８は、状況監視部１７による料理工程の移行の検知状況に応じて火加減データを補正する。
具体的には次の通りである。
火加減データは、上述したように時間の経過に伴って火加減を段階的に切り替えるためのものであるが、例えば、火加減データがスタート時から５分後に、段階“５”から段階“７”に自動的に切り替える旨を示す場合（スタート時から５分後に料理工程の移行がある場合）、データ処理部１８はスタート時から５分経過したとき、状況監視部１７から料理工程の移行の検知状況を入手する。
【００３８】
データ処理部１８は、火加減データが示す料理工程の移行時期に、状況監視部１７が料理工程の移行を検知すると（ステップＳＴ２６）、全料理工程が完了していなければ（ステップＳＴ２７）、次の料理工程に進んで調理を継続するが、料理工程の移行時期になってから、所定時間経過しても料理工程の移行が検知されない場合、火加減データを補正して調理を継続する（ステップＳＴ２８，ＳＴ２９）。
【００３９】
例えば、上記のようにスタート時から５分経過しても、段階“５”から段階“７”に自動的に切り替えず、段階“５”を維持するような火加減データの補正を行う。その後、状況監視部１７が料理工程の移行を検知すると、その時点で、段階“５”から段階“７”に切り替えるような火加減データの補正を行う。
なお、料理の完成後、ユーザが希望する場合には、次回同一の料理を行う場合に備えて、データ処理部１８による補正後の火加減データをデータ記憶部１５に保存することができる。また、補正前の火加減データもデータ記憶部１５に残すことができる。
【００４０】
以上で明らかなように、この実施の形態５によれば、データ送受信部１１によりダウンロードされた火加減データを参照して料理工程の移行時期を監視するように構成したので、料理の進行をスムーズに行うことができる効果を奏する。
また、この実施の形態５によれば、状況監視部１７による料理工程の移行の検知状況に応じて火加減データを補正するように構成したので、予め想定している料理の進行状況と相違が生じても料理の進行をスムーズに行うことができる効果を奏する。
【００４１】
なお、上記実施の形態１から５では、レシピ要求ボタンや確認ボタンの他、操作スイッチ等が明示されているが、これらのボタンやスイッチは操作パネルにそれぞれ実装されている。ただし、１つのスイッチがレシピ要求ボタンや確認ボタン等の機能を兼ねるようにしてもよい。
【００４２】
【発明の効果】
以上のように、この発明によれば、指定手段により指定された人数に応じて入力手段により入力されたレシピデータを変更し、変更後のレシピデータにしたがってレシピを表示するように構成したので、ユーザが手動で火加減を調節することなく、自動的に料理を作ることができ、ユーザの煩わしさを軽減することができる効果がある。
【００４３】
この発明によれば、データ変更手段により変更されたレシピデータを記憶するように構成したので、ユーザが次回同一の料理を行うことができる効果がある。
【００４４】
この発明によれば、指定手段により指定された人数に応じて入力手段により入力された火加減データを変更し、変更後の火加減データにしたがって火加減を調節するように構成したので、ユーザが手動で火加減を調節することなく、自動的に料理を作ることができ、ユーザの煩わしさを軽減することができる効果がある。
【００４５】
この発明によれば、入力手段により入力された火加減データを参照して料理工程の移行時期を監視するように構成したので、スムーズに料理を進行することができる効果がある。
【図面の簡単な説明】
【図１】この発明の実施の形態１によるＩＨ調理器を示す構成図である。
【図２】この発明の実施の形態１によるＩＨ調理器の処理内容を示すフローチャートである。
【図３】この発明の実施の形態１によるＩＨ調理器を示す斜視図である。
【図４】この発明の実施の形態１によるＩＨ調理器を示す斜視図である。
【図５】レシピの表示例を示す説明図である。
【図６】変更後のレシピの表示例を示す説明図である。
【図７】調理時間の割合に関するテーブルを示す説明図である。
【図８】調味料の割増量に関するテーブルを示す説明図である。
【図９】この発明の実施の形態４によるＩＨ調理器を示す構成図である。
【図１０】この発明の実施の形態４によるＩＨ調理器の処理内容を示すフローチャートである。
【図１１】この発明の実施の形態５によるＩＨ調理器の処理内容を示すフローチャートである。
【符号の説明】
１  情報配信サーバ、２  ネットワーク、１１  データ送受信部（入力手段）、１２  データ入力部（指定手段）、１３  データ処理部（データ変更手段）、１４  表示部（表示手段）、１５  データ記憶部（記憶手段、データ保存手段）、１６  加熱部（加熱手段）、１７  状況監視部（監視手段）、１８  データ処理部（データ変更手段、補正手段）。
【図１】
2004192862.tif 000003
【図２】
2004192862.tif 000004
【図３】
2004192862.tif 000005
【図４】
2004192862.tif 000006
【図５】
2004192862.tif 000007
【図６】
2004192862.tif 000008
【図７】
2004192862.tif 000009
【図８】
2004192862.tif 000010
【図９】
2004192862.tif 000011
【図１０】
2004192862.tif 000012
【図１１】
2004192862.tif 000013